(57)【要約】【課題】壁紙等のシートの不陸隠蔽性を簡単に確認可能な不陸隠蔽性可視化装置等を提供する。【解決手段】不陸隠蔽性可視化装置１は、シートの凹凸形状の高さ情報を階調値で示すエンボス版製造用のシートハイトデータ３の階調値と、シートで被覆される被覆面の凹凸形状の高さ情報を階調値で示す被覆面ハイトデータ４の階調値を加算し、合成ハイトデータを作成する合成手段２３と、合成ハイトデータが示す凹凸形状を所定の視点位置および光源位置の条件で見た場合の画像である不陸隠蔽性可視化画像を作成する可視化手段２５と、を備える。【選択図】図２
2015064674.tif 000002
【特許請求の範囲】
【請求項１】
シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成する合成手段と、
前記合成ハイトデータが示す凹凸形状を所定の視点位置および光源位置の条件で見た場合の画像である不陸隠蔽性可視化画像を作成する可視化手段と、
を備えることを特徴とする不陸隠蔽性可視化装置。
【請求項２】
前記被覆面のハイトデータは、前記被覆面に貼着された状態のシートの凹凸形状を読み取ったハイトデータの階調値から、前記シートの凹凸形状を読み取ったハイトデータの階調値を減算することにより作成されたものであることを特徴とする請求項１に記載の不陸隠蔽性可視化装置。
【請求項３】
前記被覆面のハイトデータは、凸部もしくは凹部の高さと幅を含むパラメータの入力に応じて作成されたものであることを特徴とする請求項１に記載の不陸隠蔽性可視化装置。
【請求項４】
前記凸部もしくは前記凹部の側面は傾斜し、
前記パラメータとして、前記凸部もしくは前記凹部が傾斜によって拡幅もしくは縮径する幅が入力されることを特徴とする請求項３に記載の不陸隠蔽性可視化装置。
【請求項５】
前記シートは壁紙であることを特徴とする請求項１乃至請求項４のいずれかに記載の不陸隠蔽性可視化装置。
【請求項６】
コンピュータが、
シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、
前記合成ハイトデータが示す凹凸形状を所定の視点位置および光源位置の条件で見た場合の画像である不陸隠蔽性可視化画像を作成するステップと、
を実行することを特徴とする不陸隠蔽性可視化方法。
【請求項７】
コンピュータに、
シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、
前記合成ハイトデータが示す凹凸形状を所定の視点位置および光源位置の条件で見た場合の画像である不陸隠蔽性可視化画像を作成するステップと、
を実行させるためのプログラム。
【請求項８】
コンピュータに、
シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、
前記合成ハイトデータが示す凹凸形状を所定の視点位置および光源位置の条件で見た場合の画像である不陸隠蔽性可視化画像を作成するステップと、
を実行させるためのプログラムを記録した記録媒体。
【請求項９】
コンピュータが、
シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、
前記合成ハイトデータが示す凹凸形状を所定の視点位置および光源位置の条件で見た場合の画像である不陸隠蔽性可視化画像を作成するステップと、
を実行し、
エンボス版製造手段が、
前記シートのハイトデータに基づいて、彫刻またはエッチングの手法により前記シートのハイトデータが示す凹凸形状を表面に形成したエンボス版を製造することを特徴とするエンボス版製造方法。
【請求項１０】
請求項９に記載のエンボス版製造方法によって製造されたエンボス版を用いてシート表面にエンボス加工を施すことを特徴とするシート製造方法。
【発明の詳細な説明】
【技術分野】
【０００１】
本発明は、壁紙等のシートを被覆面に貼り付けた際の被覆面の不陸の見え方を可視化し、シートの不陸隠蔽性を確認可能とする不陸隠蔽性可視化装置等に関する。
【背景技術】
【０００２】
壁紙等のシートの意匠として、石目柄や織物柄等、テクスチュアの凹凸形状を表面に有するものがある。このようなシートを製造するためには、例えば、テクスチュアの凹凸形状を表面に形成したエンボス版を製造し、この凹凸を樹脂等のシートに転写する。
【０００３】
エンボス版に凹凸形状を形成するためには、凹凸形状のデータを版下用に作成する必要がある。このデータはハイトデータと呼ばれ、テクスチュアの凹凸形状の高さ情報を階調値で表した画像データである。
【０００４】
近年、このようなハイトデータを用いて、壁紙等のシートの見え方を可視化する可視化装置が開発されている（特許文献１参照）。
【０００５】
特許文献１には、ハイトデータが示す凹凸形状に関し、仮想的に光源位置及び視線位置を設定し、各画素についてハイトデータの凹凸により生じる影（光源の光が直接反射されない領域）及びオクルージョン（視点から見えない領域）を考慮し、光源から照射された光の凹凸形状上での拡散反射と鏡面反射の各成分に応じて各画素の輝度値を求め、これを投影変換することにより、ハイトデータの凹凸形状を所定の視点位置および光源位置の条件で見た場合の画像を作成することが記載されている。
【先行技術文献】
【特許文献】
【０００６】
【特許文献１】特開２０１１−１０３０９７号公報
【発明の概要】
【発明が解決しようとする課題】
【０００７】
ところで、壁紙等のシートが貼着される下地となる壁面や石膏ボード等の被覆面は、必ずしも平らではなく、凹凸を有している場合が多い。このように凹凸がある状態を「不陸」があると呼ぶが、シートを不陸のある被覆面に実際に貼着すると、不陸によってテクスチュアにはない凹凸形状が見えてしまうことがある。このような不陸の見え方は、不陸の形状、光源と視点の位置関係、テクスチュアの凹凸形状等の条件によって変化する。ここで、シートを貼着した際の不陸の見え方（見え難さ）を不陸隠蔽性と呼ぶ。
【０００８】
従来、シートの不陸隠蔽性を確認するためには、実際にシートを作製した上で不陸を有する被覆面にシートを貼り付けて、光源と視点の位置関係等の条件を変えながら肉眼で確認していた。しかしながら、このような方法では確認作業のために多くの手間とコストを要する問題があった。また、どのような条件で確認作業を行うかは確認者次第であり、基準がないために評価にばらつきがあった。さらに、特許文献１の方法は、このような不陸の見え方について考慮したものではなかった。
【０００９】
本発明は、このような課題に鑑みてなされたもので、壁紙等のシートの不陸隠蔽性を簡単に確認可能な不陸隠蔽性可視化装置等を提供することを目的とする。
【課題を解決するための手段】
【００１０】
前述した課題を解決するための第１の発明は、シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成する合成手段と、前記合成ハイトデータが示す凹凸形状を所定の視点位置および光源位置の条件で見た場合の画像である不陸隠蔽性可視化画像を作成する可視化手段と、を備えることを特徴とする不陸隠蔽性可視化装置である。
【００１１】
第１の発明によれば、シートの凹凸形状を示すハイトデータと被覆面の凹凸形状を示す被覆面ハイトデータとを合成した合成ハイトデータについて、視点位置や光源位置等の所定の可視化条件で可視化処理を実行し、不陸隠蔽性可視化画像を作成する。ユーザは、この画像を用いて、シートを被覆面に貼着した際の不陸隠蔽性を、シートを製造する手間を軽減して簡単に確認できるようになり、可視化条件の変更により様々な視点位置や光源位置に関して確認作業が簡単にできる。また、不陸の形状や可視化条件を予め定めることで、確認作業時の基準を設け評価のばらつきがなくなる。これにより、エンボス版製造用のハイトデータに関し、不陸隠蔽性の高い最適なものを選択し、選択されたハイトデータに基づいてエンボス版を製造できる。エンボス版の製造には比較的大きな時間やコストがかかるが、本発明によれば予め不陸隠蔽性の高いハイトデータを選別できるため、製造したエンボス版が無駄になるリスクを低減できる。このエンボス版を用いてシート表面にエンボス加工を行ってシートを製造すれば、不陸隠蔽性が高く意匠性に優れたシートが効率よく製造できる。
【００１２】
前記被覆面のハイトデータは、前記被覆面に貼着された状態のシートの凹凸形状を読み取ったハイトデータの階調値から、前記シートの凹凸形状を読み取ったハイトデータの階調値を減算することにより作成されたものであることが望ましい。
これにより、被覆面とシートの間に生じる隙間の影響を含む被覆面のハイトデータを生成でき、不陸隠蔽性可視化画像の精度が高まる。
【００１３】
前記被覆面のハイトデータは、凸部もしくは凹部の高さと幅を含むパラメータの入力に応じて作成されたものであることが望ましい。さらに、前記凸部もしくは前記凹部の側面は傾斜し、前記パラメータとして、前記凸部もしくは前記凹部が傾斜によって拡幅もしくは縮径する幅が入力されることが望ましい。
凸部や凹部の高さや幅等のパラメータを変化させることで、多様な被覆面の不陸の表現が可能となる。また、凸部や凹部の側面を傾斜したものとすることで、前記と同様、被覆面とシートの間に生じる隙間の影響を含む被覆面のハイトデータが生成できる。
【００１４】
また、前記シートは壁紙であることが望ましい。
不陸を隠蔽できることは壁紙の意匠性において特に重要であり、本発明を壁紙に適用する効果は非常に大きい。
【００１５】
第２の発明は、コンピュータが、シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、前記合成ハイトデータが示す凹凸形状を所定の視点位置および光源位置の条件で見た場合の画像である不陸隠蔽性可視化画像を作成するステップと、を実行することを特徴とする不陸隠蔽性可視化方法である。
【００１６】
第３の発明は、コンピュータに、シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、前記合成ハイトデータが示す凹凸形状を所定の視点位置および光源位置の条件で見た場合の画像である不陸隠蔽性可視化画像を作成するステップと、を実行させるためのプログラムである。
【００１７】
第４の発明は、コンピュータに、シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、前記合成ハイトデータが示す凹凸形状を所定の視点位置および光源位置の条件で見た場合の画像である不陸隠蔽性可視化画像を作成するステップと、を実行させるためのプログラムを記録した記録媒体である。
【００１８】
第５の発明は、コンピュータが、シートの凹凸形状の高さ情報を階調値で示すエンボス版製造用のハイトデータの階調値と、シートで被覆される被覆面の凹凸形状の高さ情報を階調値で示すハイトデータの階調値を加算し、合成ハイトデータを作成するステップと、前記合成ハイトデータが示す凹凸形状を所定の視点位置および光源位置の条件で見た場合の画像である不陸隠蔽性可視化画像を作成するステップと、を実行し、エンボス版製造手段が、前記シートのハイトデータに基づいて、彫刻またはエッチングの手法により前記シートのハイトデータが示す凹凸形状を表面に形成したエンボス版を製造することを特徴とするエンボス版製造方法である。
【００１９】
第６の発明は、第５の発明のエンボス版製造方法によって製造されたエンボス版を用いてシート表面にエンボス加工を施すことを特徴とするシート製造方法である。
【発明の効果】
【００２０】
本発明により、壁紙等のシートの不陸隠蔽性を簡単に確認可能な不陸隠蔽性可視化装置等を提供することができる。
【図面の簡単な説明】
【００２１】
【図１】不陸隠蔽性可視化装置１のハードウエア構成図
【図２】不陸隠蔽性可視化装置１の機能構成図
【図３】シートハイトデータ３、被覆面ハイトデータ４、合成ハイトデータを示す図
【図４】シートを被覆面に貼着した状態のハイトデータと、シートのハイトデータを示す図
【図５】被覆面ハイトデータ生成処理の流れを説明するフローチャート
【図６】シート４３を被覆面４１に貼着した状態を示す図
【図７】不陸隠蔽性可視化処理の流れを説明するフローチャート
【図８】不陸隠蔽性可視化画像を示す図
【図９】エンボス版製造装置９Ａの構成を示す図
【図１０】エンボス版製造装置９Ｂの構成を示す図
【図１１】エンボス版製造装置９Ｃの構成を示す図
【図１２】被覆面ハイトデータ４ａを示す図
【図１３】被覆面ハイトデータ生成処理の流れを説明するフローチャート
【発明を実施するための形態】
【００２２】
以下、図面を参照しながら、本発明の好適な実施形態について詳細に説明する。
【００２３】
［第１の実施形態］
（１．不陸隠蔽性可視化装置）
図１は、本発明の実施形態に係る不陸隠蔽性可視化装置１のハードウエア構成を示す図である。この不陸隠蔽性可視化装置１は、壁紙等のシートのハイトデータと被覆面のハイトデータを用いて、シートを被覆面に貼着して被覆した時の被覆面の不陸の見え方を不陸隠蔽性可視化画像として出力するものである。
【００２４】
図１に示すように、不陸隠蔽性可視化装置１は、例えば、制御部１１、記憶部１２、メディア入出力部１３、周辺機器Ｉ／Ｆ（インタフェース）部１４、通信部１５、入力部１６、表示部１７等がバス１８を介して接続されて構成された一般的なコンピュータによって実現できる。
【００２５】
制御部１１は、ＣＰＵ、ＲＯＭ、ＲＡＭ等により構成される。
ＣＰＵは、記憶部１２、ＲＯＭ、記録媒体等に格納されるプログラムをＲＡＭ上のワークメモリ領域に呼び出して実行し、バス１８を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部１１が各種処理を行うため使用するワークエリアを備える。
【００２６】
記憶部１２は例えばハードディスクドライブであり、後述する処理に際して制御部１１が実行するプログラムや、プログラム実行に必要なデータ、ＯＳ等が格納されている。これらのプログラムコードは、制御部１１により必要に応じて読み出されてＲＡＭに移され、ＣＰＵに読み出されて実行される。
【００２７】
メディア入出力部１３は、例えばＤＶＤドライブ等のメディア入出力装置であり、データの入出力を行う。
周辺機器Ｉ／Ｆ部１４は、周辺機器を接続させるためのポートであり、周辺機器Ｉ／Ｆ部１４を介して周辺機器とのデータの送受信を行う。周辺機器との接続形態は有線、無線を問わない。
通信部１５は、通信制御装置や通信ポート等を有し、ネットワークを介した他の装置等との通信を媒介する。
【００２８】
入力部１６は、例えば、キーボード、マウス等のポインティング・デバイス、テンキー等の入力装置であり、入力されたデータを制御部１１へ出力する。
表示部１７は、液晶パネルやＣＲＴモニタ等のディスプレイ装置と、ディスプレイ装置と連携して表示処理を実行するための論理回路（ビデオアダプタ等）で構成され、制御部１１の制御により入力された表示情報をディスプレイ装置上に表示させる。
バス１８は、各部間の制御信号、データ信号等の授受を媒介する経路である。
【００２９】
次に、図２を参照して、不陸隠蔽性可視化装置１の機能構成について説明する。図２に示すように、不陸隠蔽性可視化装置１は、被覆面ハイトデータ作成手段２１、合成手段２３、可視化手段２５等を有し、記憶部１２にシートハイトデータ３、被覆面ハイトデータ４等を記憶する。
【００３０】
シートハイトデータ３は、シートの表面に形成するテクスチュアの凹凸形状の高さ情報を階調値で示したエンボス版製造用の画像データである。図３（ａ）はシートハイトデータ３の例であり、織物柄のテクスチュアの凹凸形状が２５６の階調値のグレースケールで表現されている。シートハイトデータ３は、どのような方法で生成されたものでもよい。例えば、３Ｄスキャナ等でテクスチュアの凹凸形状を読み取ってデータ化したものでもよいし、コンピュータにより自動生成したものでもよい。
【００３１】
被覆面ハイトデータ４は、シートにより被覆される被覆面の凹凸形状（不陸）の高さ情報を階調値で示した画像データである。図３（ｂ）は被覆面ハイトデータ４を模式的に示した例であり、凸部を有する被覆面の凹凸形状が２５６の階調値のグレースケールで表現されている。
【００３２】
被覆面ハイトデータ作成手段２１は、不陸隠蔽性可視化装置１の制御部１１が、被覆面ハイトデータ４を作成するものである。作成された被覆面ハイトデータ４は、記憶部１２に記憶される。
【００３３】
なお、本実施形態では、円柱状の凸部を形成した被覆面に、試作したシートを実際に貼着し、このシートの表面の凹凸形状を３Ｄスキャナ等を用いて読み取ることにより取得したハイトデータ（図４（ａ）参照）と、貼着前のシートの表面の凹凸形状を３Ｄスキャナ等を用いて読み取ることにより取得したハイトデータ（図４（ｂ）参照）を記憶部１２に記憶しておき、前者のハイトデータの階調値から後者のハイトデータの階調値を、対応する位置にある画素同士で減算することにより、被覆面ハイトデータ４を作成する。
【００３４】
合成手段２３は、不陸隠蔽性可視化装置１の制御部１１が、シートハイトデータ３の階調値と、被覆面ハイトデータ４の階調値を、対応する位置にある画素同士で加算することにより合成し、合成ハイトデータを作成するものである。合成ハイトデータは、被覆面にシートを貼着して被覆した際の凹凸形状の高さ情報を階調値で示した画像データである。図３（ｃ）は合成ハイトデータの例であり、シートで被覆面を被覆した際の凹凸形状が２５６の階調値のグレースケールで表現されている。
【００３５】
可視化手段２５は、不陸隠蔽性可視化装置１の制御部１１が、合成ハイトデータが示す凹凸形状を所定の視点位置および光源位置で見た場合の画像である不陸隠蔽性可視化画像を作成し、表示部１７に表示するものである。不陸隠蔽性可視化画像を作成するには、例えば、特開２０１１−１０３０９７号公報に記載されるような手法を用いればよい。
【００３６】
特開２０１１−１０３０９７号公報には、前記した通り、凹凸形状の高さ情報を画素の階調値で表すハイトデータに関し、仮想的に光源位置及び視点位置を設定し、ハイトデータの凹凸により生じる影（光源の光が直接反射されない領域）及びオクルージョン（視点から見えない領域）を考慮し、光源から照射された光の凹凸形状上での拡散反射と鏡面反射の各成分に応じて各画素の輝度値を求め、これを投影変換することにより、ハイトデータの凹凸形状を所定の視点位置および光源位置で見た場合の画像を作成することが記載されている。ただし、視点位置および光源位置を設定して可視化を行う方法はこれに限らず、既知の種々の方法を用いることが可能である。
【００３７】
（２．被覆面ハイトデータ４の作成）
本実施形態では、まず不陸隠蔽性可視化装置１により被覆面ハイトデータ４を作成する。そこで、図５等を参照して被覆面ハイトデータ作成処理の流れについて説明する。図５は、被覆面ハイトデータ作成処理の流れを示すフローチャートであり、図の各ステップは不陸隠蔽性可視化装置１の制御部１１が実行する処理である。
【００３８】
不陸隠蔽性可視化装置１は、前記した通り、図４（ａ）に示す、円柱状の凸部を設けた被覆面に実際に貼着された状態のシートの凹凸形状を３Ｄスキャナ（不図示）等を用いて読み取ったハイトデータを記憶部１２から取得する（Ｓ１１）。
【００３９】
また、不陸隠蔽性可視化装置１は、図４（ｂ）に示す、被覆面に貼着しない状態で上記のシートを３Ｄスキャナ（不図示）等を用いて読み取ったハイトデータを記憶部１２から取得する（Ｓ１２）。
【００４０】
そして、Ｓ１１で取得した被覆面に貼着された状態のシートのハイトデータの階調値から、Ｓ１２で取得したシートのハイトデータの階調値を、対応する位置にある画素同士で減算することにより被覆面ハイトデータ４を作成する（Ｓ１３）。被覆面ハイトデータ４は、記憶部１２に記憶される。
【００４１】
この被覆面ハイトデータ４は、図６（ａ）に示すような、被覆面４１にシート４３を貼着した際に凸部４２の周囲に生じる隙間４４の形状も含んでいる。隙間４４の形状はシート４３の剛性に影響されるので、シート４３の剛性に関する各種の物性値（材質、厚み、強度、テクスチュアの凹凸パターン等）を変化させつつ、様々なシートを用いて被覆面ハイトデータ４を生成しておくことが望ましい。凸部の形状についても、その幅や高さを様々に変化させつつ、被覆面ハイトデータ４を作成するとよい。また、凸部は円柱状に限らず、例えば角柱状でもよい。
【００４２】
さらに、被覆面４１の不陸は、凸部だけでなく、図６（ｂ）に示すような円柱状の空洞部分である凹部４５としてもよい。この場合も上記と同様の方法で被覆面ハイトデータ４が作成でき、被覆面ハイトデータ４に、被覆面４１にシート４３を貼着した際に凹部４５の内周に沿って生じる隙間４４の形状も含んでいる。上記と同様、凹部は円柱状に限らず、例えば角柱状でもよい。
【００４３】
（３．不陸隠蔽性可視化処理）
次に、図７等を参照して、前記で作成された被覆面ハイトデータ４を用いた不陸隠蔽性可視化処理の流れについて説明する。図７は、不陸隠蔽性可視化処理の流れを示すフローチャートであり、図の各ステップは不陸隠蔽性可視化装置１の制御部１１が実行する処理である。
【００４４】
不陸隠蔽性可視化装置１は、まず、記憶部１２からシートハイトデータ３と被覆面ハイトデータ４を取得し、シートハイトデータ３と被覆面ハイトデータ４とを合成し、合成ハイトデータを作成する（Ｓ２１）。前記したように、Ｓ２１ではそれぞれのハイトデータの階調値の加算によって合成を行えばよい。また、被覆面ハイトデータ４としては、製造予定のシートの物性値と対応するシートを用いて作成された被覆面ハイトデータ４を用いることが望ましい。
【００４５】
そして、不陸隠蔽性可視化装置１は、光源位置や視点位置などの可視化条件のユーザ入力を受付け、合成ハイトデータについて前記した可視化処理を実行する（Ｓ２２）。これにより、合成ハイトデータが示す凹凸形状を、ユーザ入力された視点位置および光源位置の条件で見た場合の画像である不陸隠蔽性可視化画像を作成する。なお、この際入力する可視化条件としては、光源の角度、強度、タイプ（平行光源やスポットライト等）を含めてもよい。可視化処理後の不陸隠蔽性可視化画像は、表示部１７などで表示される。図８に、この不陸隠蔽性可視化画像の例を示す。
【００４６】
以上の処理は、複数の光源位置や視点位置の条件について行われ、様々な視点と光源の位置関係で見た場合の不陸隠蔽性可視化画像が作成される。また、被覆面の凸部あるいは凹部の形状が異なる複数の被覆面ハイトデータ４を用いて同様の処理が行われることが望ましく、これにより様々な不陸についてシートの不陸隠蔽性を確認し、シートの不陸隠蔽性の総合的な評価が行える。
【００４７】
このような不陸隠蔽性画像を用いてシートの不陸隠蔽性を評価し、不陸隠蔽性が高く意匠性に優れたシートのシートハイトデータ３が選択できる。
【００４８】
（４．エンボス版の製造と壁紙の製造）
以上のようにして不陸隠蔽性可視化画像を作成されたシートハイトデータ３は、エンボス版の製造に用いられる。これにより、エンボス版の製造に先立ってシートの不陸隠蔽性を評価し、優れたシートハイトデータ３を選択することができる。
【００４９】
図９のエンボス版製造装置９Ａは、選択されたシートハイトデータ３を用いてエンボス版シリンダ１００にテクスチュアの凹凸形状のエンボス彫刻を施すものである。図に示すように、エンボス版製造装置９Ａは、コンピュータ９１、彫刻機９３、支持台１０１、及び回転駆動部１０４を備える。
【００５０】
コンピュータ９１は、不陸隠蔽性可視化装置１として上記した手法により不陸隠蔽性可視化画像を作成し、これを基に選択された不陸隠蔽性の高いシートハイトデータ３に基づき、彫刻機９３を制御する。
【００５１】
彫刻機９３は、彫刻機制御部９３１、駆動部９３２、及び彫刻用刃（打刻刃）９３３を備えるエンボス版製造手段である。
【００５２】
彫刻機制御部９３１は、コンピュータ９１から入力されるシートハイトデータ３に従って駆動部９３２を駆動し、彫刻用刃９３３を支持台１０１、１０１に支持されたエンボス版シリンダ１００の版面に対して深さ方向に上下動するとともに、エンボス版シリンダ１００の回転軸方向（図中Ａ−Ａ方向）に移動させる。回転駆動部１０４は、コンピュータ９１から入力される指示に従って、支持台１０１、１０１に支持されたエンボス版シリンダ１００を回転軸Ａ−Ａ方向を中心に回転する。
【００５３】
これにより、彫刻機９３は、シートハイトデータ３が示すテクスチュアの凹凸形状に従った深さで金属製或いは樹脂製のエンボス版シリンダ１００に彫刻を施し、テクスチュアの凹凸形状を形成する。
【００５４】
なお、彫刻機９３は、彫刻用刃９３３に代えて、レーザ等を用いる方式のものでもよい。この場合、彫刻機９３は、図９の駆動部９３２及び彫刻用刃９３３に代えて、走査部、レーザ発振器、及び光学ユニットを用いればよい。上記と同様にしてエンボス版シリンダ１００、あるいは光学ユニットを移動させながら、シートハイトデータ３に基づく出力値のレーザビームを光学ユニットを介して照射する。これによっても、エンボス版シリンダ１００にテクスチュアの凹凸形状を形成できる。
【００５５】
一方、図１０のエンボス版製造装置９Ｂは、シートハイトデータ３に基づいて、エッチングの手法を用いてエンボス版シリンダ２００にテクスチュアの凹凸形状を形成するものである。
【００５６】
エンボス版製造装置９Ｂは、前記と同様のコンピュータ９１に加え、パターン露光装置９６、腐食装置９８、支持台１０１、及び回転駆動部１０４を備える。支持台１０１にはレジスト層をコーティングしたエンボス版シリンダ２００が取り付けられている。
【００５７】
パターン露光装置９６は、走査部９６１、レーザ発振器９６２、及び光学ユニット９６３を備え、腐食装置９８とともにエンボス版製造手段を構成する。
【００５８】
パターン露光装置９６は、コンピュータ９１から入力されるシートハイトデータ３に従って走査部９６１を駆動し、光学ユニットをエンボス版シリンダ２００の回転軸方向に移動させるとともに、レーザ発振器９６２を制御してシートハイトデータ３に従った出力値に変調する。
【００５９】
ここでは、所定の階調値を閾値としてシートハイトデータ３を二値化し、当該閾値を境にレーザがＯＮ／ＯＦＦになるように制御を行う。これにより、レジスト層をコーティングしたエンボス版シリンダ２００の所定位置にレーザビームを照射し、露光部と非露光部とからなるパターンを形成する露光処理を行う。レジスト層としては、ポジ型レジスト、ネガ型レジストのいずれも用いることができる。ポジ型レジストの場合は、露光処理により露光部のレジスト層がゲル化する。ネガ型レジストの場合は、露光処理により露光部のレジスト層が硬化する。
【００６０】
露光処理が完了したエンボス版シリンダ２００は、図示しない現像装置において現像と版洗浄が行われ、レジスト層のうち露光部（ポジ型レジストの場合）もしくは非露光部（ネガ型レジストの場合）が除去され、レジスト層のパターンが形成される。
【００６１】
その後、腐食装置９８によりエンボス版シリンダ２００に腐食液を作用させると、レジスト層の除去により露出した金属面の部分が腐食を受けて窪み、パターンに応じた凹凸形状が形成される。続いて洗浄処理を行い、残ったレジスト層を除去する。
【００６２】
その後、再度レジスト層をエンボス版シリンダ２００の表面にコーティングし、以上の処理を上記の閾値を変えて繰り返す。これを複数回行うことにより、エンボス版シリンダ２００の表面に複数段の凹凸形状を形成でき、これによりテクスチュアの凹凸形状をエンボス版シリンダ２００の表面に形成できる。閾値としては、適当な値を予め定めておくとよい。
【００６３】
また、レーザビームによってレジスト層のパターンを形成する手段としては、レジスト層をコーティングしたエンボス版シリンダ２００に直接描画（レジスト層を焼飛ばす）し、現像処理や洗浄処理によるレジスト層の除去を必要としないレーザ刷版装置もあり、多く用いられている。この場合のエンボス版製造装置の構成は、現像装置等を必要としない点を除いてエンボス版製造装置９Ｂと同様である。
【００６４】
この際、パターン露光装置９６は、前記と同様の制御を行い、レジスト層をコーティングしたエンボス版シリンダ２００の所定位置にレーザビームを照射し、露光部のレジスト層を焼き飛ばし除去してレジスト層のパターンを形成する。レーザ発振器９６２が発振するレーザとしては、ＹＡＧレーザやファイバーレーザを使用することができる。
【００６５】
その後、前記と同様の腐食処理を行いパターンに応じた凹凸形状をエンボス版に形成した後、洗浄処理により残ったレジスト層の除去を行う。これらレジスト層コーティング、露光処理、腐食処理、洗浄処理を、前記の閾値を変えて複数回繰り返すことにより、エンボス版シリンダ２００の表面に複数段の凹凸形状が形成できる。
【００６６】
図１１のエンボス版製造装置９Ｃは、シートハイトデータ３に基づいてフォトマスク９７を製造し、これを用いてエンボス版シリンダ２００にエッチングを行うことにより、テクスチュアの凹凸形状を形成するものである。
【００６７】
エンボス版製造装置９Ｃは、前記と同様のコンピュータ９１に加え、パターン露光装置９６、腐食装置９８、９８ａ、エンボス版露光装置９９、支持台１０１、及び回転駆動部１０４を備える。支持台１０１にはレジスト層をコーティングしたエンボス版シリンダ２００が取り付けられる。
【００６８】
ここでは、パターン露光装置９６、腐食装置９８をフォトマスク９７の製造段階で利用し、このフォトマスク９７を用いて、エンボス版露光装置９９、腐食装置９８ａによりエンボス版の製造を行う。すなわち、これらの装置がエンボス版製造手段を構成している。
【００６９】
フォトマスク９７は、基板９７３上に遮光膜９７２が形成され、更にその上にレジスト層９７１がコーティングされる。このような状態のフォトマスク９７に対して、パターン露光装置９６は、図１０で説明したものと同様の方法でシートハイトデータ３の閾値に従った露光制御を行なうことにより、レジスト層９７１に露光部と非露光部とを形成する。その後、現像および洗浄を行って不要なレジスト層を除去してレジスト層のパターンを形成する。レジスト層が除去された部分では、遮光膜９７２が露出する。
【００７０】
続いて、腐食装置９８により腐食液を作用させると、露出した遮光膜９７２の部分が腐食により除去される。その後、洗浄処理により残ったレジスト層を除去すると、遮光膜９７２のパターンを基板９７３上に形成したフォトマスク９７が製造される。
【００７１】
フォトマスク９７は、上記の閾値の値を変えつつ必要な数だけ製造され、それぞれエンボス版シリンダ２００への露光の際に使用される。すなわち、レジスト層がコーティングされたエンボス版シリンダ２００をフォトマスク９７にて覆い、エンボス版露光装置９９で露光することにより、フォトマスク９７に形成されている遮光膜９７２のパターンに従った露光部及び非露光部が形成される。
【００７２】
続いて、図１０の例と同様に現像、洗浄処理を行うことにより不要なレジスト層が除去されてエンボス版シリンダ２００にレジスト層のパターンが形成される。その後、腐食装置９８ａや洗浄装置（不図示）を用いて腐食および洗浄処理を行うと、前記と同様に、エンボス版シリンダ２００の表面に凹凸が形成され、残ったレジスト層が除去される。
【００７３】
フォトマスク９７を交換して、レジスト層コーティング、露光、現像、洗浄（不要なレジスト層の除去）、腐食、洗浄（残ったレジスト層の除去）の処理を繰り返すことにより、エンボス版シリンダ２００の表面に複数段の凹凸形状が形成でき、これによりテクスチュアの凹凸形状をエンボス版シリンダ２００の表面に形成できる。
【００７４】
これらのエンボス版製造装置９Ａ、９Ｂ、９Ｃによれば、シートハイトデータ３に基づいて、エンボス版シリンダ１００、２００にテクスチュアの凹凸形状を形成することが可能となる。また、このエンボス版シリンダ１００、２００を用いて、所望のシートにエンボス加工を施すことにより壁紙等のシートが製造できる。シートの素材は、用途に応じて決定されるが、例えば、紙、樹脂、合成皮革等を用いることができる。
【００７５】
以上説明したように、不陸隠蔽性可視化装置１では、シートハイトデータ３と被覆面ハイトデータ４とを合成した合成ハイトデータについて、視点位置や光源位置等の所定の可視化条件で可視化処理を実行し、不陸隠蔽性可視化画像を作成する。ユーザは、この画像を用いて、シートを被覆面に貼着した際の不陸隠蔽性を、シートを製造する手間を軽減して簡単に確認できるようになり、可視化条件を変更すれば様々な視点位置や光源位置に関して確認作業が簡単にできる。また、不陸の形状や可視化条件を定めることで、確認作業時の基準を設け評価のばらつきがなくなる。これにより、エンボス版製造用のシートハイトデータ３に関し、不陸隠蔽性の高い最適なものを選択し、選択されたシートハイトデータ３に基づいてエンボス版を製造できる。エンボス版の製造には比較的大きな時間やコストがかかるが、本実施形態によれば予め不陸隠蔽性の高いハイトデータを選別できるため、製造したエンボス版が無駄になるリスクを低減できる。このエンボス版を用いてシート表面にエンボス加工を行ってシートを製造すれば、不陸隠蔽性が高く意匠性に優れたシートが効率よく製造できる。
【００７６】
また、被覆面ハイトデータ４は、被覆面に貼着された状態のシートの凹凸形状を読み取ったハイトデータから、シートの凹凸形状を読み取ったハイトデータを減算することにより作成されるので、被覆面とシートの間に生じる隙間の影響を含む被覆面ハイトデータ４を簡単に生成でき、不陸隠蔽性可視化画像の精度が高まる。
【００７７】
なお、シートの例としては、壁面や石膏ボード等を被覆面とする壁紙に限ることなく、例えば天井や石膏ボード等を被覆面とする発泡性樹脂層を有する天井材でもよい。その他、木製や樹脂製等の基材の被覆面に貼着され、化粧板として用いられるような化粧シートでもよい。ただし、不陸を隠蔽できることは壁紙の意匠性において特に重要であり、本発明を壁紙に適用する効果は非常に大きい。
【００７８】
［第２の実施形態］
次に、本発明の第２の実施形態について説明する。第２の実施形態は、被覆面ハイトデータにおいて第１の実施形態と異なる。不陸隠蔽性可視化装置１の構成や不陸隠蔽性可視化処理の手順など、その他の点は第１の実施形態と同様であるので、説明を省略する。
【００７９】
第２の実施形態で用いる被覆面ハイトデータ４ａを図１２（ａ）、（ｂ）に示す。図１２（ａ）は被覆面ハイトデータ４ａにおける凸部の側面を、図１２（ｂ）は凸部の平面である。
【００８０】
この被覆面ハイトデータ４ａは、図６（ａ）で説明したような被覆面４１の円柱状の凸部４２の形状をモデル化することにより、第１の実施形態のように３Ｄスキャナ等を用いてシートを読み取るなどの手間を掛けずに、コンピュータ上の演算によって作成したものである。図１２（ａ）、（ｂ）に示すように、被覆面ハイトデータ４ａは、円柱状の凸部の側面が傾斜して底部が拡幅した円錐台状にモデル化されており、側面の傾斜によって図６（ａ）で説明したような隙間４４が表現されている。
【００８１】
図１３は、第２の実施形態における被覆面ハイトデータ作成処理の流れを示すフローチャートである。
【００８２】
すなわち、ユーザが、図１２（ａ）、（ｂ）に示す凸部の高さ、円柱部分の直径（以下、「幅」という）、底部の拡幅部分の幅（以下、「傾斜幅」という）をパラメータとして所定の値を入力すると、不陸隠蔽性可視化装置１はこの入力を受付けて（Ｓ３１）、入力された高さ、幅、傾斜幅の凸部を有する被覆面ハイトデータ４ａを作成する（Ｓ３２）。作成した被覆面ハイトデータ４ａは記憶部１２に記憶され、前記のＳ２１、Ｓ２２（図７参照）の処理に用いられる。
【００８３】
本実施形態では、図１２（ａ）、（ｂ）に示す傾斜幅の設定を行うことで、円柱状の凸部が被覆面にある場合に、シートと被覆面の間に生じる隙間（図６（ａ）の隙間４４参照）の影響を含めることができる。傾斜幅は、前記したシートの剛性に関する各種の物性値を考慮して設定することが可能である。すなわち、剛性が低い場合には円柱状の凸部に沿ってシートが貼り付けられるので傾斜幅は小さく、逆の場合には傾斜幅は大きくなる。
【００８４】
あるいは、上記の物性値をユーザが入力することにより、不陸隠蔽性可視化装置１の制御部１１が自動的に演算を行って傾斜幅を算出するようにしてもよい。例えばシートの厚みが大きい程剛性は高くなるので、入力された厚みの値が大きい程、傾斜幅が大きくなるような演算を行う。
【００８５】
また、上記では円錐台状のモデルを用いたが、凸部のモデルはこれに限らない。例えば角柱の側面が傾斜した角錐台状のモデルを用いてもよく、円柱状や角柱状のモデルを用いてもよい。
【００８６】
さらに、被覆面の不陸としては、図６（ｂ）で説明したような円柱状の空洞部分である凹部４５の形状を、図１２（ｃ）に示すようにモデル化してもよい。ここでは、円柱状の凹部の側面が傾斜して底部が縮径した円錐台状にモデル化されており、側面の傾斜によって図６（ｂ）で説明したような隙間４４が表現されている。
【００８７】
この場合も、ユーザが、図１２（ｃ）に示す凹部の高さ、円柱部分の直径（以下、「幅」という）、底部の縮径部分の幅（以下、「傾斜幅」という）をパラメータとして所定の値を入力すると、不陸隠蔽性可視化装置１はこの入力を受付けて、入力された高さ、幅、傾斜幅の凹部を有する被覆面ハイトデータ４ａを作成する。
【００８８】
この第２の実施形態でも第１の実施形態と同様の効果が得られる。また、不陸をモデル化し、パラメータの入力に応じて被覆面ハイトデータ４ａを作成することで、パラメータを変化させ、より多様な被覆面の表現が可能となる。また、上記のように凸部あるいは凹部の側面が傾斜したモデルとすることで、被覆面とシートの間に生じる隙間の影響を含む被覆面のハイトデータが生成できる。
【００８９】
以上、添付図面を参照して、本発明に係る不陸隠蔽性可視化装置等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９０】
１………不陸隠蔽性可視化装置
３………シートハイトデータ
４………被覆面ハイトデータ
９Ａ、９Ｂ、９Ｃ………エンボス版製造装置
２１………被覆面ハイトデータ生成手段
２３………合成手段
２５………可視化手段
【図１】
2015064674.tif 000003
【図２】
2015064674.tif 000004
【図５】
2015064674.tif 000005
【図６】
2015064674.tif 000006
【図７】
2015064674.tif 000007
【図９】
2015064674.tif 000008
【図１０】
2015064674.tif 000009
【図１１】
2015064674.tif 000010
【図１２】
2015064674.tif 000011
【図１３】
2015064674.tif 000012
【図３】
2015064674.tif 000013
【図４】
2015064674.tif 000014
【図８】
2015064674.tif 000015